(57)【要約】  【課題】真空断熱材を適用した冷蔵庫であっても、予め、真空断熱材の抜き取りを実施することなく、冷蔵庫全体を破砕処理できるようにする。  【解決手段】断熱箱体１２とドア体１７とのいずれかに真空断熱材２１を適用した冷蔵庫１１を解体回収する場合に、予め、冷蔵庫１１の外面、或いは内面のいずれかからその内部に存在する真空断熱材２１の外包材を破袋させて、真空断熱材２１内部に外気を導入する。これにより、真空断熱材２１中の吸着剤の反応活性が残存している場合にも、解体回収前に、予め、吸着剤が外気と接触することで吸着剤の反応が進行し、吸着剤の活性を低下させることができる。その結果、廃冷蔵庫１１の破砕処理時に、吸着剤が所定量の水分と接触した場合にも、吸着剤は発熱することがない。したがって、従来同様、冷蔵庫１１全体を破砕処理できる。【選択図】図１
2006153330.tif 000002
【特許請求の範囲】
【請求項１】
断熱箱体とドア体とのいずれかに吸着剤を内包する真空断熱材を適用した冷蔵庫において、前記冷蔵庫を解体回収する場合に、予め、冷蔵庫の外面、或いは内面のいずれかからその内部に存在する真空断熱材の外包材を破袋させることで、真空断熱材内部に外気を導入し、その後、解体回収を行う冷蔵庫の解体回収方法。
【請求項２】
断熱箱体とドア体とのいずれかに吸着剤を内包する真空断熱材を適用した冷蔵庫において、前記冷蔵庫を解体回収する場合に、予め、冷蔵庫の外面、或いは内面のいずれかからその内部に存在する真空断熱材の外包材を破袋させ、真空断熱材内部に外部から水を注入し、その後、解体回収を行う冷蔵庫の解体回収方法。
【請求項３】
真空断熱材の外包材を破袋させる場所が、真空断熱材に含まれる吸着剤部、或いはその周辺である請求項１または２に記載の冷蔵庫の解体回収方法。
【請求項４】
真空断熱材に含まれる吸着剤埋設位置を、冷蔵庫本体に表示した冷蔵庫。
【請求項５】
真空断熱材に含まれる吸着剤の有無、或いは吸着剤の反応性について、冷蔵庫本体に表示した冷蔵庫。
【発明の詳細な説明】
【技術分野】
【０００１】
本発明は、断熱材として硬質ウレタンフォームと真空断熱材とを併用した冷蔵庫において、その各構成物を再利用、或いは再資源化するための解体回収方法材に関するものである。
【背景技術】
【０００２】
冷蔵庫は、鉄、銅、及びアルミニウム等の金属類、ウレタンや、ＡＢＳ等のプラスチック類等の種々構成材料から形成されているが、省資源化の観点から冷蔵庫廃棄時には、構成材料の再利用や再資源化が重要となってきている。
【０００３】
以下、図５を参照しながら、廃冷蔵庫の資源化方法の一例として、特に、ウレタンを金属類等が混入することなく高純度に回収する方法を説明する。
【０００４】
まず、一次破砕機及び攪拌破砕粉砕機を用いた破砕処理によって冷蔵庫を破砕し、冷蔵庫の鉄板部位等に付着するウレタンを剥離し且つ粉末とする。次に、ウレタン粉末を含む冷蔵庫の破砕物を篩分けによって大径物８とウレタン粉末を含む小径物５とに篩分けする。
【０００５】
次に、篩下に篩分けされた小径物５を風力選別機（１）に供給し、ウレタン粉末６を風力選別する。大径物８から磁力選別によって鉄類を選別し、次いで、風力選別機（２）によってプラスチックを選別し、次いで、比重差選別機によって銅及びアルミニウムを選別することが提案されている（例えば、特許文献１参照）。
【０００６】
一方、従来、冷蔵庫の断熱材としては、硬質ウレタンフォームが主として用いられてきたが、近年、硬質ウレタンフォームより数段断熱性能の優れた真空断熱材を併用するケースが増加している。
【０００７】
真空断熱材とは、芯材を外包材で覆って内部を減圧、封止したものであり、冷蔵庫に使用されるものは通常平板状の形状をなしている。
【０００８】
このような真空断熱材を併用した冷蔵庫をリサイクルする場合は、リサイクル工場での冷蔵庫解体時に真空断熱材を手作業で取り外して分別するのが殆どであった。しかし、近年では、真空断熱材を使用する機種が増加すると共に、その使用枚数が増加しているため、どの部分に真空断熱材が埋設されているのかの判別が困難となり、真空断熱材の取り外し作業に支障をきたすという問題が生じつつある。
【０００９】
そのため、冷蔵室又は冷凍室の断熱材として硬質ウレタンフォームと真空断熱材とを併用した冷蔵庫であって、解体の際に真空断熱材の埋設位置の判別が容易であり、外し残しが生じない冷蔵庫を提供するため、真空断熱材の埋設位置を冷蔵庫本体に表示することが提案されている（例えば、特許文献２参照）。
【特許文献１】特開２００１−２５９５２９号公報
【特許文献２】特開２００４−２９４０３８号公報
【発明の開示】
【発明が解決しようとする課題】
【００１０】
しかしながら、冷蔵庫解体時に真空断熱材を手作業で取り外して分別する方法では、廃冷蔵庫の処理台数に限界があり、且つ手作業であるため処理コストが増大するなどの重大な課題があった。
【００１１】
また、真空断熱材の埋設位置を冷蔵庫本体に表示した冷蔵庫であっても、同様に処理台数に限界があると共に、処理コストが増大するなどの課題を有していた。
【００１２】
一方、真空断熱材を適用した冷蔵庫において、予め、真空断熱材を手作業で取り外さずに、従来同様、冷蔵庫を破砕処理する場合は、次のような課題があった。
【００１３】
冷蔵庫を構成する真空断熱材において、所定量の水分や空気と接触すると発熱する特性を有する吸着剤が一般的に使われている。そのため、真空断熱材中の吸着剤の活性が残存している場合には、冷蔵庫の破砕処理時に、吸着剤が所定量の水分や空気と接触すると吸着剤が発熱するため、作業者はその発熱を低下させる処理を施す必要があり、破砕処理の工数が大幅に増大するという課題があった。
【００１４】
本発明は、上記課題を解決するもので、所定量の水分や空気と接触すると発熱する特性を有する吸着剤を内包する真空断熱材を適用した冷蔵庫であっても、予め、真空断熱材の取り外しを実施することなく、従来同様、冷蔵庫全体を破砕処理することで、低コスト、かつ効率的に廃冷蔵庫の解体回収を可能とする冷蔵庫、及び冷蔵庫の解体回収方法を提供することを目的とする。
【課題を解決するための手段】
【００１５】
上記目的を達成するために、本発明は、断熱箱体とドア体とのいずれかに吸着剤を内包する真空断熱材を適用した冷蔵庫において、前記冷蔵庫を解体回収する場合に、予め、冷蔵庫の外面、或いは内面のいずれかからその内部に存在する真空断熱材の外包材を破袋させることで、真空断熱材内部に外気または水を導入し、その後、解体回収を行う冷蔵庫の解体回収方法である。
【００１６】
これによって、真空断熱材中の吸着剤の反応活性が残存している場合にも、解体回収前に、予め、吸着剤が外気または水と接触することで吸着剤の反応が進行し、吸着剤の活性を低下させることができる。その結果、廃冷蔵庫の破砕処理時に、吸着剤が所定量の水分や空気と接触した場合にも、吸着剤は発熱することがない。
【００１７】
そのため、発熱処理に必要な工数が削減できることから、破砕処理が低コストで、かつ効率的に実施できる。
【発明の効果】
【００１８】
本発明によれば、所定量の水分や空気と接触すると発熱する特性を有する吸着剤を内包する真空断熱材を適用した冷蔵庫であっても、予め、真空断熱材の取り外しを実施することなく、従来同様、冷蔵庫全体を破砕処理できるので、低コスト、かつ効的率に廃冷蔵庫を解体回収できる。
【発明を実施するための最良の形態】
【００１９】
請求項１に記載の発明は、断熱箱体とドア体とのいずれかに吸着剤を内包した真空断熱材を適用した冷蔵庫において、前記冷蔵庫を解体回収する場合に、予め、冷蔵庫の外面、或いは内面のいずれかからその内部に存在する真空断熱材の外包材を破袋させることで、真空断熱材内部に外気を導入し、その後、解体回収を行う冷蔵庫の解体回収方法である。
【００２０】
本発明によれば、真空断熱材中の吸着剤の反応活性が残存している場合にも、解体回収前に、予め、吸着剤が外気と接触することで吸着剤の反応が進行し、吸着剤の活性を低下させることができる。その結果、廃冷蔵庫の破砕処理時に、吸着剤が所定量の水分と接触した場合にも、吸着剤は発熱することがない。したがって、真空断熱材の取り外しを実施することなく、従来同様、冷蔵庫全体を破砕処理できるので、低コスト、かつ効的率に廃冷蔵庫を解体回収できる。
【００２１】
請求項２に記載の発明は、断熱箱体とドア体とのいずれかに吸着剤を内包した真空断熱材を適用した冷蔵庫において、前記冷蔵庫を解体回収する場合に、予め、冷蔵庫の外面、或いは内面のいずれかからその内部に存在する真空断熱材の外包材を破袋させ、真空断熱材内部に外部から水を注入し、その後、解体回収を行う冷蔵庫の解体回収方法である。
【００２２】
本発明によれば、水の注入によって、請求項１に記載の発明よりも短時間に、かつより確実に吸着剤の活性を低下させることができる。したがって、請求項１に記載の発明と同様に真空断熱材の取り外しを実施することなく、従来同様、冷蔵庫全体を破砕処理できるので、低コスト、かつ請求項１に記載の発明よりも効的率に廃冷蔵庫を解体回収できる。
【００２３】
請求項３に記載の発明は、請求項１または２に記載の冷蔵庫の解体回収方法において、真空断熱材の外包材を破袋させる場所を、真空断熱材に含まれる吸着剤部、或いはその周辺にするのである。
【００２４】
本発明によれば、請求項１または２に記載の発明の作用、効果に加えて、更に、より短時間に、かつより確実に吸着剤の反応活性を低下させることができる。また、冷蔵庫の外面、或いは内面から外包材を破袋させるための貫通孔が小さい場合にも、確実に吸着剤の反応活性を低下させることができる。
【００２５】
請求項４に記載の発明は、真空断熱材に含まれる吸着剤埋設位置を、冷蔵庫本体に表示した冷蔵庫である。
【００２６】
よって、吸着剤の活性を低下させる場合には、冷蔵庫の外面、或いは内面に指示された表示部から貫通させて外包材を破袋させることで、確実に吸着剤の活性を低下させることができる。
【００２７】
請求項５に記載の発明は、真空断熱材に含まれる吸着剤の有無、或いは吸着剤の反応性について、冷蔵庫本体に表示した冷蔵庫である。
【００２８】
よって、予め、吸着剤の反応活性を低下させるための不活化処理の必要有無が容易に判断出来るため、廃冷蔵庫の解体回収作業をより効率的に実施することができる。
【００２９】
なお、本発明において、冷蔵庫の外面、或いは内面の内部に存在する真空断熱材の外包材を破袋させる方法としては、冷蔵庫の外面である金属製のシェル、または冷蔵庫の内面であるＡＢＳ等のプラスチック樹脂からなる内箱表面部を、先の鋭いハンマー等で打ち破る方法や、ドリルで貫通させる方法、或いは刃物等で切断する方法等、外包材を破袋させることのできる任意の方法が適用できる。
【００３０】
また、冷蔵庫本体への表示方法については、吸着剤の埋設位置等を記載した表示ラベルを冷蔵庫の背面や天面等に貼り付ける方法や、刻印や印刷を冷蔵庫の筐体表面のいずれかに直接施す方法や、無線タグのＩＣチップのような電子媒体に記憶する方法等、任意の記憶表示方法が適用できるが、冷蔵庫の意匠性を損なうことのない方法で表示、或いは記憶することがより望ましい。
【００３１】
以下、本発明の実施の形態について図面を参照しながら説明する。なお、この実施の形態により、本発明が限定されるものではない。
【００３２】
（実施の形態１）
図１は、本発明の実施の形態１における冷蔵庫の断面図である。図２は、本発明の実施の形態１における真空断熱材の断面図である。また、図３は、本発明の実施の形態１における冷蔵庫の斜視図である。図４は、本発明の実施の形態１における廃冷蔵庫の解体回収方法の工程フローである。
【００３３】
図１の冷蔵庫１１は、本発明の実施の形態１における冷凍冷蔵庫の断面図であり、少なくとも断熱箱体とドア体とのいずれかに真空断熱材を適用した冷蔵庫の一例として示すものである。
【００３４】
冷蔵庫１１は、冷蔵庫の筐体を構成する断熱箱体１２と冷凍サイクル構成部品とからなる。断熱箱体１２は、鉄板をプレス成形した外箱１３と、ＡＢＳ樹脂を成形した内箱１４とが、フランジ（図示せず）を介して形成されている。断熱箱体１２の内部には、予め真空断熱材２１を配設し、真空断熱材２１以外の空間部を、硬質ウレタンフォーム１５にて発泡充填したものである。硬質ウレタンフォーム１５は、発泡剤としてシクロペンタンを使用している。
【００３５】
断熱箱体１２は仕切り板１６にて区切られており、上部が冷蔵室１９、下部が冷凍室１８となっている。また、冷蔵庫１１にはドア体１７が取付けられており、ドア体１７の内部には真空断熱材２１が配設され、真空断熱材２１以外の空間部は硬質ウレタンフォーム１５にて発泡充填されている。
【００３６】
一方、図２に示す真空断熱材２１は、芯材２２を外包材２３で覆い、その内部を減圧密閉したものである。この時、吸着剤２４は、ＳＡＥＳ社製のゲッター材ＣＯＭＢＯ３を適用している。
【００３７】
吸着剤２４を構成するＳＡＥＳ社製のゲッター材ＣＯＭＢＯ３は、空気成分を吸着除去するバリウムリチウム合金と、水素を除去する四三酸化コバルトと、水分を除去する酸化カルシウムとからなる複合吸着剤である。この吸着剤は、真空断熱材内部の残留ガス、及び外包材から経時的に透過侵入する侵入ガスを吸着除去することで真空断熱材の内圧を維持し、断熱性能を長期間保持する機能を有している。
【００３８】
また、図３に示すように、冷蔵庫１１は、その外箱の天面に表示ラベル３１が貼り付けられており、表示ラベルには、真空断熱材に含まれる吸着剤の有無と、吸着剤の埋設位置と、吸着剤の化学物質名または吸着剤の反応性が記載されている。
【００３９】
このような冷蔵庫１１が、リサイクル工場で廃棄される時には、図４の廃冷蔵庫の解体回収方法の工程フローに従い、解体回収を行い再資源化する。
【００４０】
まず、図４の冷蔵庫種別判定４１では、表示ラベル３１の記載内容に従い、真空断熱材に含まれる吸着剤の有無、及び吸着剤の化学物質名からその反応性を判断し、冷蔵庫の処理方法を決定する。この時、水分、或いは空気成分との反応活性に富んだ化学物質等を含む吸着剤を真空断熱材に適用している場合は、廃冷蔵庫の破砕解体前に化学物質の不活性化処理工程４４を実施する。
【００４１】
不活性化処理工程４４では、まず、表示ラベル３１の記載内容を基に、冷蔵庫の内箱側、或いは外箱側をハンマーで打ち破ることで真空断熱材の吸着剤近傍の外包材を破袋させる。このように、真空断熱材の外包材を破袋させることで、真空断熱材内部に外気が導入されるため、吸着剤に反応活性が残存している場合にも、吸着剤が外気と反応してその活性が急速に低下する。
【００４２】
このような不活性化処理工程を実施した場合、真空断熱材中の吸着剤は反応活性が充分に低下しているため、廃冷蔵庫を解体回収処理のため破砕を実施しても、吸着剤は発熱することがなく、効率よく廃棄処理を実施することができる。
【００４３】
その結果、真空断熱材を適用した冷蔵庫であっても、予め、真空断熱材の取り外しを実施することなく、従来同様、冷蔵庫全体を破砕処理することで、低コスト、かつ効的率に廃冷蔵庫の解体回収を可能とする冷蔵庫、及び冷蔵庫の解体回収方法を提供することができる。
【００４４】
なお、不活性化処理工程において、吸着剤の不活性化処理に要する時間は、使用されている吸着剤の種類、真空断熱材の仕様、冷蔵庫の製造日、及び貫通孔の大きさによって異なるため、上記条件に応じて処理時間が決まる。しかし、不活性化処理を外気導入により実施した場合は、概ね１〜７日間の処理時間が必要となる。一方、不活性化処理を水分注入で実施した場合は、概ね1〜5分間で処理が完了する。
【産業上の利用可能性】
【００４５】
本発明にかかる冷蔵庫、及び冷蔵庫の解体回収方法は、廃冷蔵庫をリサイクル工場で、廃棄再生処理する場合に、低コストで効率的に処理することを目的とした冷蔵庫、及び冷蔵庫の解体回収方法を提供するものである。
【００４６】
また、リサイクル工場以外の一般ユーザーに対しても、冷蔵庫の正しい使用方法に関する情報を提供することができる。
【図面の簡単な説明】
【００４７】
【図１】本発明の実施の形態１における冷蔵庫の断面図
【図２】本発明の実施の形態１における真空断熱材の断面図
【図３】本発明の実施の形態１における冷蔵庫の斜視図
【図４】本発明の実施の形態１における廃冷蔵庫の解体回収方法の工程フロー図
【図５】従来の廃冷蔵庫の解体回収方法の工程フロー図
【符号の説明】
【００４８】
１１    冷蔵庫
１２    断熱箱体
１３    外箱
１４    内箱
１７    ドア体
２１    真空断熱材
２３    外包材
２４    吸着剤
３１    表示ラベル
【図１】
2006153330.tif 000003
【図２】
2006153330.tif 000004
【図３】
2006153330.tif 000005
【図４】
2006153330.tif 000006
【図５】
2006153330.tif 000007